(57)【要約】【課題】ユーザが特定の操作をすることなく、車で出張するため自宅を出た時に、携帯端末の地図アプリを自動起動して目的地の宿泊先を経路案内する携帯端末を提供する。【解決手段】電子メール受信部１０５より受信した電子メールを電子メール解析部１０６で解析し、電子メールの解析結果が「宿泊予約確認メール」であった場合、宿泊先名を宿泊先位置情報算出部１１２に通知して、宿泊先位置情報を算出し、宿泊情報記憶部１０８に格納する。また、宿泊日を宿泊日情報抽出部１０７に通知して、宿泊日情報を抽出し、宿泊情報記憶部１０８に格納する。現在年月日が宿泊日になったとき、現在位置が、出発位置情報記憶部１０８に記憶されている出発位置より一定距離以上となった場合に、音声出力部１０２から「宿泊先を経路案内する」旨を通知し、前記宿泊先位置情報から宿泊位置を地図案内部１１５に通知し、経路案内を開始する。【選択図】図２
2019203766.tif 000002
【特許請求の範囲】
【請求項１】
電子メール受信手段と、前記電子メール受信手段にて受信した電子メールに記載されている情報を元に宿泊予約確認メールであることを解析する電子メール解析手段と、宿泊予約確認メールであった場合には、前記電子メールに記載されている宿泊先名から宿泊先位置を算出する宿泊先位置情報算出手段と、前記電子メールに記載されている宿泊日から宿泊日情報を抽出する宿泊日情報抽出手段と、前記宿泊先位置情報算出手段で算出した宿泊先位置情報と前記宿泊日情報抽出手段で抽出した宿泊日情報を記憶する宿泊情報記憶手段と、出発位置を記憶する出発位置情報記憶手段と、ＧＰＳ衛星より受信した情報を元に現在地位置を算出する現在地位置情報算出手段と、現在時刻を入力する入力手段と、前記入力された現在時刻から年月日情報をカウントする時計手段と、宿泊先への経路案内を開始する地図案内手段と、を有し、
前記時計手段から取得した現在年月日が宿泊情報記憶手段に記憶されている宿泊日情報と一致した場合に、前記ＧＰＳ衛星より受信した情報を元に現在地位置を算出する現在地位置情報算出手段で算出された現在位置が前記出発位置情報記憶手段に記憶されている出発位置より一定距離以上となった場合に、宿泊先への経路案内を開始することを特徴とする宿泊先を自動で経路案内する携帯端末。  
【発明の詳細な説明】
【技術分野】
【０００１】
本発明は、携帯端末の地図アプリを自動起動して、目的地を自動設定し、経路案内を開始する技術に関する。
【背景技術】
【０００２】
車で出張する場合に、宿泊先のホテルや旅館をナビゲーションシステムに入力し、宿泊先を経路案内してもらう場合があるが、宿泊先の入力に手間がかかり操作が煩雑である。
【０００３】
上記問題を解決する技術として例えば特許文献１には、旅行先で予約センターに予約し、通知される宿泊先位置情報を元に宿泊先を経路案内させる技術が開示されている。
【先行技術文献】
【特許文献】
【０００４】
【特許文献１】特開２００２−２１５９８５号公報
【発明の概要】
【発明が解決しようとする課題】
【０００５】
しかしながら特許文献１の技術は、旅行先で予約することを前提としており、事前に宿泊先を予約した場合を考慮できていない。
本発明は上記問題について鑑みたものであり、その課題は、ユーザが設定操作することなく、車で地方に出張するため自宅を出た時に、携帯端末の地図アプリを自動起動して目的地の宿泊先を経路案内させることにある。
【課題を解決するための手段】
【０００６】
上記課題を解決するために本発明は、電子メール受信手段と、前記電子メール受信手段にて受信した電子メールに記載されている情報を元に宿泊予約確認メールであることを解析する電子メール解析手段と、宿泊予約確認メールであった場合には、前記電子メールに記載されている宿泊先名から宿泊先位置を算出する宿泊先位置情報算出手段と、前記電子メールに記載されている宿泊日から宿泊日情報を抽出する宿泊日情報抽出手段と、前記宿泊先位置情報算出手段で算出した宿泊先位置情報と前記宿泊日情報抽出手段で抽出した宿泊日情報を記憶する宿泊情報記憶手段と、出発位置を記憶する出発位置情報記憶手段と、ＧＰＳ衛星より受信した情報を元に現在地位置を算出する現在地位置情報算出手段と、現在時刻を入力する入力手段と、前記入力された現在時刻から年月日情報をカウントする時計手段と、宿泊先への経路案内を開始する地図案内手段と、を有し、
前記時計手段から取得した現在年月日が宿泊情報記憶手段に記憶されている宿泊日情報と一致した場合に、前記ＧＰＳ衛星より受信した情報を元に現在地位置を算出する現在地位置情報算出手段で算出された現在位置が前記出発位置情報記憶手段に記憶されている出発位置より一定距離以上となった場合に、宿泊先への経路案内を開始することを特徴とする。
【発明の効果】
【０００７】
本発明によれば、携帯端末は、出張時にインターネット上で宿泊先を予約した場合の宿泊予約確認メールを利用して宿泊先名の情報を抽出するので、ユーザが何も操作しなくても地図アプリを自動起動し、宿泊先を経路案内させることができ、宿泊先を地図アプリに設定する煩雑な操作を無くすことができる。
【図面の簡単な説明】
【０００８】
【図１】図１は、本発明の一実施の形態における概略構成図である。
【図２】図２は、携帯端末１の機能ブロック図である。
【図３】図３は、出発位置情報記憶部１０８の登録内容例を模式的に表した図である。
【図４】図４は、宿泊情報記憶部１１３の登録内容例を模式的に表した図である。
【図５】図５は、本発明における携帯端末１の動作を説明するためのフロー図である。
【発明を実施するための形態】
【０００９】
以下、本発明の一実施の形態について、図面を参照しつつ説明する。
【００１０】
図１は、本発明の一実施の形態における概略構成図である。
【００１１】
図示するように、本実施の形態は、ユーザが持つ携帯端末１と、ユーザが持つ携帯端末１が電子メールの受信及び無線通信を行うための携帯電話網２と、携帯電話網２を介してユーザが持つ携帯端末１へ電子メールの送信を行う電子メール送信サーバ３と、ユーザが持つ携帯端末１が位置情報を取得するためのＧＰＳ衛星４と、で構成されている。
【００１２】
図２は、携帯端末１の機能ブロック図である。
【００１３】
図示するように、ユーザが持つ携帯端末１は、端末制御部１０１と、音声出力部１０２と、表示部１０３と、入力部１０４と、電子メール受信部１０５と、電子メール解析部１０６と、宿泊日情報抽出部１０７と、出発位置情報記憶部１０８と、ＧＰＳ機能部１０９と、現在地位置情報算出部１１０と、無線通信部１１１と、宿泊先位置情報算出部１１２と、宿泊情報記憶部１１３と、時計部１１４と、地図案内部１１５を備えている。
【００１４】
端末制御部１０１は、ユーザが持つ携帯端末１の各部１０２〜１１５を統括的に制御する。
【００１５】
音声出力部１０２は、ガイダンス等の音声出力機であり、端末制御部１０１の指示に応じて音声を出力する。
【００１６】
表示部１０３は、「宿泊先までの地図経路」を表示するディスプレイやタッチパネル等の表示部である。
【００１７】
入力部１０４は、テンキーやタッチスクリーンなどの入力インターフェースであり、入力操作をされた入力データを、端末制御部１０１に通知する。(例えば、入力部１０４は、入力操作をした現在時刻を、端末制御部１０１に通知する)
電子メール受信部１０５は、電子メール送信サーバ３から携帯電話網２を介して送出された電子メールを受信し、電子メール解析部１０６に前記電子メールの文章データを送出する。
【００１８】
電子メール解析部１０６は、電子メール受信部１０５より受信した前記電子メールの文章データ内にある「宿泊予約確認」、「ホテル予約確認」、「ホテル予約サービス」等のキーワードを解析することで、前記電子メールが「宿泊予約確認メール」であるか判断し、前期電子メールが「宿泊予約確認メール」であった場合、文章データ内にある宿泊先のホテル名や旅館名（以下、宿泊先名とする）、宿泊する日付(以下、宿泊日とする)に関連するデータを抽出し、端末制御部１０１に通知する。
【００１９】
宿泊日情報抽出部１０７は、端末制御部１０１からの宿泊日に関連するデータを含む宿泊日を抽出する要求を受けて、宿泊日情報（例えば、西暦20aa年bb月cc日）を抽出し、端末制御部１０１に通知する。
【００２０】
出発位置情報記憶部１０８は、出発位置情報テーブル１０８０が記憶される記憶部である。
【００２１】
図３は、出発位置情報記憶部１０８の登録内容例を模式的に表した図である。
【００２２】
図示するように、出発位置情報記憶部１０８は、出発位置情報テーブル１０８０を記憶しており、出発位置情報のレコード１０８４を有する。出発位置情報のレコード１０８４は、各々の出発位置を識別するための番号を管理するフィールド１０８１と、登録している出発位置情報を管理するフィールド１０８２と、出発位置情報から一定距離以上となった時に出発したと判断するための半径距離を管理するフィールド１０８３と、を有する。図２の説明に戻る。
【００２３】
ＧＰＳ機能部１０９は、定期的にＧＰＳ衛星４より現在地の位置情報（以下、現在地位置情報とする）を受信し、受信する度に現在地位置情報算出部１１０に通知する。
【００２４】
現在地位置情報算出部１１０は、ＧＰＳ機能部１０９より受信した現在地位置情報を算出する要求を受けて、ユーザの携帯端末１の現在地位置情報を解析し、端末制御部１０１に通知する。
【００２５】
無線通信部１１１は、携帯端末１が携帯電話網２と接続した時に、無線で通信を行うためのインターフェースである。
【００２６】
宿泊先位置情報算出部１１２は、端末制御部１０１からの宿泊先名を含む宿泊先の位置情報を算出する要求を受けて、宿泊先名から宿泊先の位置情報（例えば、北緯xx度yy分zz秒、東経aa度bb分cc秒）（以下、宿泊先位置情報とする）を算出し、端末制御部１０１に通知する。尚、宿泊先名から宿泊先位置情報の算出は、公知技術であるジオコーディングを用いて算出する。
【００２７】
宿泊情報記憶部１１３は、宿泊情報テーブル１１３０が記憶される記憶部である。
【００２８】
図４は、宿泊情報記憶部１１３の登録内容例を模式的に表した図である。
【００２９】
図示するように、宿泊情報記憶部１１３は、宿泊情報テーブル１１３０を記憶しており、複数の宿泊情報のレコード１１３４を有する。宿泊情報のレコード１１３４は、各々の宿泊情報を識別するための番号を管理するフィールド１１３１と、登録している宿泊先位置情報を管理するフィールド１１３２と、宿泊日情報を管理するフィールド１１３３と、を有する。図２の説明に戻る。
【００３０】
時計部１１４は、入力部１０４より入力された現在時刻からの経過時間をカウントし、端末制御部１０１からの現在の年月日を取得する要求を受けて、現在年月日情報を、端末制御部１０１に通知する。
【００３１】
地図案内部１１５は、端末制御部１０１からの宿泊先位置情報を含む宿泊先の経路を案内する要求（以下、宿泊先経路案内要求）を受けて地図アプリを自動起動し、宿泊先までの経路案内を開始する。
【００３２】
図５は、携帯端末１の動作を説明するためのフロー図である。
【００３３】
本フローは、携帯端末１の電源が投入されてから開始される。
【００３４】
まず、携帯端末１は、電子メールを受信したか（Ｓ２００）、を待つ。
【００３５】
電子メールを受信した場合（Ｓ２００でＹｅｓ）、携帯端末１は、受信したメール内容の解析を行う（Ｓ２０１）。そして、携帯端末１は、メール内容の解析結果が、宿泊先を予約した際に通知される予約確認のメール（以下、宿泊予約確認メール）であるか（Ｓ２０２）、を判断する。
【００３６】
具体的には、電子メール解析部１０６が、電子メール受信部１０５より受信した電子メールの文章データ内に「宿泊予約確認」、「ホテル予約確認」、「ホテル予約サービス」等の宿泊予約時に記載されているキーワードがあるかどうか検索し、該当するものがあれば「宿泊予約確認メール」であると判断する。
【００３７】
メール内容の解析結果が、「宿泊予約確認メール」でない場合（Ｓ２０２でＮｏ）、Ｓ２００に戻る。
【００３８】
メール内容の解析結果が、「宿泊予約確認メール」である場合（Ｓ２０２でＹｅｓ）、携帯端末１は、解析結果より「宿泊日情報」を抽出する（Ｓ２０３）。
【００３９】
具体的には、電子メール解析部１０６が、電子メール受信部１０５より受信した電子メールの文章データ内に「宿泊日：XX年YY月ZZ日」等の宿泊日と連想できるキーワードがあるかどうか検索し、該当するものがあればその情報を「宿泊日情報」として抽出する。
そして、「宿泊日情報」を宿泊情報記憶部１１３に格納する（Ｓ２０４）。
【００４０】
次に、携帯端末１は、メール解析内容の宿泊先名より、「宿泊先位置情報」を算出する（Ｓ２０５）。
【００４１】
具体的には、電子メール解析部１０６が、電子メール受信部１０５より受信した電子メールの文章データ内に「宿泊先：XXホテル」等の宿泊先名と連想できるキーワードがあるかどうか検索し、該当するものがあればその情報を「宿泊先名」とし、「宿泊先名」より公知技術のジオコーディングを用いて「宿泊先位置情報」を算出する。
【００４２】
そして、「宿泊先位置情報」を宿泊情報記憶部１１３に格納し（Ｓ２０６）、Ｓ２００に戻る。
【００４３】
電子メールを受信していない場合（Ｓ２００でＮｏ）、携帯端末１は、時計部１１４より「現在年月日情報」を取得する（Ｓ２０７）。
【００４４】
そして、「現在年月日情報」が「宿泊日情報」と一致か（Ｓ２０８）、を判断する。
【００４５】
具体的には、「現在年月日情報」が、宿泊情報テーブル１１３０に登録されている宿泊日情報と一致しているか、を判断する。
一致している場合（Ｓ２０８でＹｅｓ）、現在地位置情報取得タイミングであるかを判断する（Ｓ２０９）。一致していない場合（Ｓ２０８でＮｏ）、Ｓ２００に戻る。
【００４６】
現在地位置情報取得タイミングである場合（Ｓ２０９でＹｅｓ）、携帯端末１は、ＧＰＳ機能部１０９で携帯端末１の「現在地位置情報」を算出する（Ｓ２１０）。
そして、携帯端末１の「現在地位置情報」が「出発位置情報」の一定距離以上かを判断する（Ｓ２１１）。現在地位置情報取得タイミングでない場合（Ｓ２０９でＮｏ）、Ｓ２００に戻る。
【００４７】
携帯端末１の「現在地位置情報」が「出発位置情報」の一定距離以外にいる場合、つまり、出発位置情報テーブル１０８０に登録されている出発位置情報を中心とした半径距離エリア外にいる場合（Ｓ２１１でＹｅｓ）、携帯端末１は、音声出力部１０２から「宿泊先を経路案内する」旨を通知し（Ｓ２１２）、地図案内部１１５にて宿泊先への経路案内を開始し（Ｓ２１３）、Ｓ２００に戻る。
【００４８】
携帯端末１の「現在地位置情報」が「出発位置情報」の一定距離以外でない場合、つまり、出発位置情報テーブル１０８０に登録されている出発位置情報を中心とした半径距離エリア外でない場合（Ｓ２１１でＮｏ）、Ｓ２００に戻る。
【００４９】
以上、本発明の一実施の形態について説明した。
【００５０】
本実施の形態によれば、携帯端末１は、電子メール受信部１０５より受信した電子メールを電子メール解析部１０６で解析し、電子メールの解析結果が「宿泊予約確認メール」であった場合、宿泊先名を宿泊先位置情報算出部１１２に通知して、宿泊先位置情報を算出し、宿泊情報記憶部１０８に格納する。また、宿泊日を宿泊日情報抽出部１０７に通知して、宿泊日情報を抽出し、宿泊情報記憶部１０８に格納する。時計部１１４より現在年月日情報を取得し、現在年月日情報が宿泊日になったとき、ＧＰＳ衛星より受信した情報を元に現在地位置を算出する現在地位置情報算出部１１０が、現在位置を算出し、算出した現在位置が、出発位置情報記憶部１０８に記憶されている出発位置より一定距離以上となった場合に、音声出力部１０２から「宿泊先を経路案内する」旨を通知し、前記宿泊先位置情報から宿泊位置を地図案内部１１５に通知し、宿泊先への経路案内を開始する。
これにより、携帯端末１は、出張時にインターネット上で宿泊先を予約した場合の宿泊予約確認メールを利用して宿泊先名の情報を抽出するので、ユーザが何もしなくても地図アプリを自動起動し、宿泊先を経路案内させることができ、宿泊先を地図アプリに設定する煩雑な操作を無くすことができる。
なお、本発明は上記の実施の形態に限定されるものではなく、その要旨の範囲内で数々の変形が可能である。
【００５１】
例えば、上記の実施の形態において、宿泊日に自宅を出た時に、地図案内部１１５にて宿泊先への経路案内を開始している。しかし、本発明はこれに限定されず、出発位置情報記憶部１０８に格納されている出発位置情報テーブル１０８０の次テーブルの出発位置情報を選択できる画面を表示し、出発位置を選択できるようにしてもよい。
【００５２】
これにより、自宅以外、例えば会社から車で出張した場合に経路案内を開始することができる。
例えば、上記の実施の形態において、宿泊日に自宅を出た時に、地図案内部１１５にて宿泊先への経路案内を開始している。しかし、本発明はこれに限定されず、電子メールで宿泊予約確認メールが通知された場合、宿泊日が当日か、前日かを選択できる画面を表示し、経路案内を開始する日付を選択できるようにしてもよい。
これにより、宿泊日の当日ではなく、前日に出発する場合にも経路案内を開始することができる（宿泊先が遠い場合を想定している）。
【００５３】
また、上記の実施の形態において、電子メール解析部１０６にて「宿泊予約」「キャンセル」等といったキーワードを抽出した場合、「宿泊予約キャンセルメール」と判断し、宿泊情報記憶部１１３に記憶されている宿泊情報テーブル１１３０の宿泊日情報と電子メールに記載されている宿泊日とが一致した宿泊情報レコード１１３４を削除してもよい。
【００５４】
これにより、宿泊予約の取り消しに対応することができる。
【００５５】
また、上記の実施形態において、上記の実施の形態において、電子メール解析部１０６にて「宿泊予約」「変更」等といったキーワードを抽出した場合、「宿泊予約変更メール」と判断し、宿泊情報記憶部１１３に記憶されている宿泊情報テーブル１１３０の宿泊日情報と電子メールに記載されている宿泊日とが一致した宿泊情報レコード１１３４を削除し、
「宿泊先位置情報」と「宿泊日情報」を新たに格納しても良い。
これにより、宿泊予約の変更に対応することができる。
【００５６】
なお、上記の実施形態において、発明対象を携帯端末として説明しているが、本発明の機能を実現するアプリケーションソフトを作成し、作成したアプリケーションソフトをインストールして実現するようにしてもよい。
【符号の説明】
【００５７】
１：携帯端末、２：携帯電話網、３：電子メール送信サーバ、４：ＧＰＳ衛星、１０１：端末制御部、１０２：音声出力部、１０３：表示部、１０４：入力部、１０５：電子メール受信部、１０６：電子メール解析部、１０７：宿泊日情報抽出部、１０８：出発位置情報記憶部、１０９：ＧＰＳ機能部、１１０：現在地位置情報算出部、１１１：無線通信部、１１２：宿泊先位置情報算出部、１１３：宿泊情報記憶部、１１４：時計部、１１５：地図案内部。
【図１】
2019203766.tif 000003
【図２】
2019203766.tif 000004
【図３】
2019203766.tif 000005
【図４】
2019203766.tif 000006
【図５】
2019203766.tif 000007